(57)【要約】【課題】  利用者が所持するパーソナル携帯端末を用いて選曲予約を行う機能を有するシステムにおいて、ネットワーク接続された少なくとも２つのカラオケ演奏端末を同期させて、同一のカラオケ楽曲を略同時に演奏開始させると共に、選曲予約操作が混乱することを防止する。【解決手段】  同期演奏の募集者又は応募者のいずれか一方のパーソナル携帯端末６０から、中継サーバ４０に対して、同期演奏情報と、カラオケ演奏端末８０の識別情報と、選曲楽曲の楽曲ＩＤを含む選曲予約情報を送信する。中継サーバ４０で中継された選曲予約情報を受信したカラオケ演奏端末８０では、当該選曲予約情報に基づくカラオケ楽曲の演奏を開始させる。また、選曲予約を許可するためのキーコードを発行し、選曲予約情報に有効な当該キーコードが含まれている場合のみに、選曲予約を行わせる。【選択図】図１
2014048537.tif 000002
【特許請求の範囲】
【請求項１】
利用者が所持するパーソナル携帯端末から入力された選曲予約情報を中継サーバで中継することにより、各カラオケ演奏端末においてカラオケ楽曲の選曲予約を行う機能を有し、ネットワーク接続された少なくとも２つの前記カラオケ演奏端末を同期させて、同一のカラオケ楽曲を同時に演奏することが可能な同期演奏モードを備えたカラオケ同期演奏システムであって、
キーコード発行手段と、選曲管理情報表示手段と、選曲管理情報取得手段と、同期演奏募集情報送信手段と、同期演奏募集情報登録手段と、閲覧要求信号送信手段と、同期演奏募集情報転送手段と、同期演奏応募情報送信手段と、同期演奏情報送信手段と、同期演奏情報表示手段と、同期演奏情報取得手段と、同期演奏モード移行手段と、キーコード情報送信手段と、キーコード情報管理手段と、選曲予約情報送信手段と、選曲予約情報転送手段と、予約管理手段と、を備え、
前記選曲管理情報取得手段と、前記同期演奏募集情報送信手段と、前記閲覧要求信号送信手段と、前記同期演奏応募情報送信手段と、前記同期演奏情報取得手段と、前記選曲予約情報送信手段は、前記パーソナル携帯端末の機能として実現され、
前記同期演奏募集情報登録手段と、前記同期演奏募集情報転送手段と、前記同期演奏情報送信手段と、前記選曲予約情報転送手段は、前記中継サーバの機能として実現され、
前記キーコード発行手段と、前記選曲管理情報表示手段と、前記同期演奏情報表示手段と、前記同期演奏モード移行手段と、前記キーコード情報送信手段と、前記キーコード情報管理手段と、前記予約管理手段は、前記カラオケ演奏端末の機能として実現され、
前記キーコード発行手段は、前記カラオケ演奏端末と前記パーソナル携帯端末をペアリングさせるためのキーコードを発行し、
前記選曲管理情報表示手段は、前記発行したキーコードと前記カラオケ演奏端末を識別するための演奏端末ＩＤとからなる選曲管理情報を表示し、
前記選曲管理情報取得手段は、前記表示された選曲管理情報を取得して所定の記憶領域に記憶し、
前記同期演奏募集情報送信手段は、募集者のパーソナル携帯端末から、前記中継サーバに対して、同期演奏応募者を募る旨と、当該パーソナル携帯端末に紐付けされたカラオケ演奏端末の演奏端末ＩＤとを含む同期演奏募集情報を送信し、
前記同期演奏募集情報登録手段は、前記同期演奏募集情報を受信して、所定の格納領域に登録し、
前記閲覧要求信号送信手段は、応募者のパーソナル携帯端末から、前記中継サーバに対して、前記同期演奏募集情報の閲覧要求信号を送信し、
前記同期演奏募集情報転送手段は、前記同期演奏募集情報の閲覧要求信号を受信すると、当該同期演奏募集情報の閲覧要求信号を送信した前記応募者のパーソナル携帯端末に対して、前記登録された同期演奏募集情報を転送し、
前記同期演奏応募情報送信手段は、前記同期演奏募集情報が転送された応募者のパーソナル携帯端末において、同期演奏参加を希望する任意の同期演奏募集情報に対して同期演奏に応募する旨と、当該パーソナル携帯端末に紐付けされたカラオケ演奏端末の演奏端末ＩＤとを含む同期演奏応募情報を前記中継サーバに送信し、
前記同期演奏情報送信手段は、前記同期演奏応募情報を受信した場合に、当該同期演奏応募情報に該当する募集者のパーソナル携帯端末に紐付けされたカラオケ演奏端末に対して、同期演奏を実施する旨と、前記応募者のパーソナル携帯端末に紐付けされたカラオケ演奏端末の演奏端末ＩＤとを含む同期演奏情報を送信すると共に、前記応募者のパーソナル携帯端末に紐付けされたカラオケ演奏端末に対して、同期演奏を実施する旨及び前記募集者のパーソナル携帯端末に紐付けされたカラオケ演奏端末の演奏端末ＩＤとを含む同期演奏情報を送信し、
前記同期演奏情報表示手段は、前記同期演奏情報を受信すると、各カラオケ演奏端末において、前記同期演奏情報を表示し、
前記同期演奏情報取得手段は、前記表示された同期演奏情報を取得して所定の記憶領域に記憶し、
前記同期演奏モード移行手段は、前記同期演奏情報を受信した各カラオケ演奏端末を同期演奏モードに移行させ、
前記キーコード情報送信手段は、前記発行したキーコード及び当該キーコードを発行したカラオケ演奏端末の演奏端末ＩＤからなるキーコード情報を、前記同期演奏情報に含まれる演奏端末ＩＤを有するカラオケ演奏端末に送信し、
前記キーコード情報管理手段は、前記受信したキーコード情報をキーコード情報管理テーブルにて管理し、
前記選曲予約情報送信手段は、前記募集者又は前記応募者のいずれか一方のパーソナル携帯端末から、前記中継サーバに対して、前記記憶した選曲管理情報及び前記同期演奏情報に含まれる演奏端末ＩＤと、選曲された楽曲の楽曲ＩＤとを含む選曲予約情報を送信し、
前記選曲予約情報転送手段は、前記選曲予約情報を受信すると、当該選曲予約情報の選曲管理情報に含まれるキーコードと楽曲ＩＤとを、当該選曲予約情報に含まれる演奏端末ＩＤを有する各カラオケ演奏端末に転送し、
前記予約管理手段は、前記カラオケ演奏端末において、前記受信した選曲予約情報に含まれるキーコードが、前記発行したキーコード又は前記キーコード情報管理テーブルにて管理しているキーコードのいずれか一つと一致した場合には、当該受信した選曲予約情報に基づく選曲予約を行い、一致しない場合には、当該受信した選曲予約情報に基づく選曲予約を行わせない、
ことを特徴とするカラオケ同期演奏システム。
【請求項２】
更新キーコード情報送信手段をさらに備え、
前記更新キーコード情報送信手段は、前記カラオケ演奏端末の機能として実現され、
前記キーコード発行手段は、所定時間毎にキーコードを発行し、
前記更新キーコード情報送信手段は、前記キーコードが発行される毎に、当該発行したキーコード及び当該キーコードを発行したカラオケ演奏端末の演奏端末ＩＤからなる更新キーコード情報を、前記同期演奏情報に含まれる演奏端末ＩＤを有するカラオケ演奏端末に送信し、
前記キーコード情報管理手段は、前記キーコード情報管理テーブルにおいて、前記受信した更新キーコード情報に含まれる演奏端末ＩＤに対応するキーコードを、前記受信した更新キーコード情報に含まれるキーコードに更新する、
ことを特徴とする請求項１に記載のカラオケ同期演奏システム。
【請求項３】
同期演奏応募者存在情報送信手段と、同期演奏応募者存在情報表示手段と、同期演奏許諾情報送信手段と、同期演奏情報送信許可手段と、をさらに備え、
前記同期演奏応募者存在情報送信手段と、前記同期演奏情報送信許可手段は、前記中継サーバの機能として実現され、前記同期演奏許諾情報送信手段は、前記パーソナル携帯端末の機能として実現され、前記同期演奏応募者存在情報表示手段は、前記カラオケ演奏端末の機能として実現され、
前記同期演奏応募者存在情報送信手段は、前記応募者のパーソナル携帯端末から同期演奏応募情報を受信した場合に、前記募集者のパーソナル携帯端末に紐付けされたカラオケ演奏端末に当該同期演奏応募者存在情報を送信し、
前記同期演奏応募者存在情報表示手段は、前記募集者のパーソナル携帯端末に紐付けされたカラオケ演奏端末において、前記同期演奏応募者存在情報を表示させ、
前記同期演奏許諾情報送信手段は、前記募集者が前記同期演奏応募者存在情報に基づく同期演奏参加の許諾を指示した場合に、同期演奏許諾情報を送信し、
前記同期演奏情報送信許可手段は、前記同期演奏許諾情報を受信した場合に、前記同期演奏情報送信手段における同期演奏情報の送信を許可する、
ことを特徴とする請求項１又は２に記載のカラオケ同期演奏システム。
【発明の詳細な説明】
【技術分野】
【０００１】
本発明は、カラオケ同期演奏システムに関するものであり、詳しくは、パーソナル携帯端末を選曲予約用のリモコン装置として使用し、ネットワーク接続された少なくとも２つのカラオケ演奏端末を同期させて、同一のカラオケ楽曲を略同時に演奏することが可能なシステムに関するものである。
【背景技術】
【０００２】
ネットワーク接続された複数のカラオケ演奏端末において、同一のカラオケ楽曲を同時期に演奏することができる技術が開発されている（例えば、特許文献１参照）。特許文献１に記載された技術は、コンピュータを内蔵したカラオケ装置を、複数台連ねてホストコンピュータに接続し、コンピュータは、通信制御装置、ＣＰＵ、採点部、Ｉ／Ｏインタフェースを備えており、再生装置が接続されている。また、再生装置には、曲目選択装置、アンプ、スピーカ、マイク、ディスプレイが接続されている。カラオケ装置を、ホストコンピュータの通信制御装置を介してＣＰＵに接続し、ＣＰＵには、Ｉ／Ｏインタフェースを介して採点結果格納部、アクセス制御部、採点表作成部、同期演奏制御部を接続することにより、カラオケ装置相互間で採点結果を比較するようになっている。
【０００３】
ところで、現在普及しているカラオケ演奏端末では、選曲予約を行う際に専用のリモコン装置を利用しているが、アプリケーションソフトをインストールすることにより種々のリモコン装置として使用することが可能なパーソナル携帯端末も開発されている（例えば、特許文献２参照）。
【０００４】
特許文献２に記載された技術は、携帯電話機を活用して、従来よりも簡単かつ軽快にリクエスト曲の検索や予約を行えるようにした通信カラオケ演奏端末に関するものであり、携帯電話機は、キーパネル、液晶ディスプレイ、携帯電話網を介して目次サーバと通信する手段、カラオケ演奏端末に向けてＩｒＤＡ信号を送出する手段を備えている。そして、携帯電話機からの発呼に目次サーバが応答して通話状態になると、携帯電話機から利用者の個人ＩＤと個人別目次の検索条件が目次サーバに通知される。目次サーバは、携帯電話機から通知された個人ＩＤ及び検索条件に基づいて該当する個人別目次データを検索し、検索結果である楽曲名と楽曲ＩＤを携帯電話機に伝達する。携帯電話機は受信した楽曲名を一覧表示し、利用者の操作入力により特定された楽曲ＩＤをＩｒＤＡ信号により送出する。
【０００５】
したがって、このような機能を用いることにより、カラオケ利用者は、カラオケ店に備え付けられた専用のリモコン装置を使用することなく、自ら所持しているパーソナル携帯端末を用いて選曲予約操作を行うことができる。特に、多人数でカラオケを楽しんでいる場合には、リモコン装置を使い回す必要がなくなり、利用者が各自所望するタイミングで選曲予約操作を行うことができるという利点がある。
【先行技術文献】
【特許文献】
【０００６】
【特許文献１】特開平７−２１０１８２号公報
【特許文献２】特開２０００−１４８１６９号公報
【発明の概要】
【発明が解決しようとする課題】
【０００７】
しかしながら、例えばデュエット曲を別個のカラオケ演奏端末で同時に演奏して歌唱を楽しむためには、各カラオケ演奏端末の利用者が違和感を覚えないように、それぞれのカラオケ演奏端末における演奏開始タイミングを略一致させる必要がある。
【０００８】
また、カラオケ演奏端末は、インターネット回線等の通信回線を介してカラオケサーバと通信することができるようになっている。そこで、パーソナル携帯端末からの選曲予約データを、携帯電話網及びインターネット回線を介してカラオケ演奏端末に送信すれば、赤外線通信機能を用いることなくパーソナル携帯端末を選曲予約用のリモコン装置として使用することができる。
【０００９】
すなわち、パーソナル携帯端末が使用している携帯電話網を介してのデータ通信機能により、カラオケ楽曲の選曲予約を行うことが考えられる。具体的には、パーソナル携帯端末を用いてモバイルサイトにアクセスし、所定のカラオケ演奏端末に対応する選曲用アプリケーションソフトをダウンロードし、この選曲用アプリケーションソフトを当該パーソナル携帯端末にインストールする。そして、必要なデータ（例えば、ＩＰアドレス、演奏端末ＩＤ、パーソナル携帯端末のＵＤＩＤ（Ｕｎｉｑｕｅ  Ｄｅｖｉｃｅ  Ｉｄｅｎｔｉｆｉｅｒ））を入力することにより、当該パーソナル携帯端末とカラオケ演奏端末とを関連付けて（ペアリングして）、パーソナル携帯端末を選曲予約用のリモコン装置として使用することができる。
【００１０】
しかしながら、上述したようなパーソナル携帯端末の使い方では、パーソナル携帯端末とカラオケ演奏端末とが関連付けられたままの状態（ログイン状態）で、パーソナル携帯端末がカラオケ店外へ持ち出されると、カラオケ店外においても選曲予約が可能となってしまう。この状態で、悪戯等によりカラオケ店外から選曲予約が行われると、正規にカラオケ演奏端末を利用している利用者の選曲予約が混乱してしまう。
【００１１】
本発明は、上述した事情に鑑み提案されたもので、パーソナル携帯端末を選曲予約用のリモコン装置として使用し、ネットワーク接続された少なくとも２つのカラオケ演奏端末を同期させて、同一のカラオケ楽曲を略同時に演奏することが可能なシステムであって、カラオケ店外等から悪戯等による選曲予約操作が行われないようにして、選曲予約操作が混乱することを防止可能なシステムを提供することを目的とする。
【課題を解決するための手段】
【００１２】
本発明のカラオケ同期演奏システムは、上述した目的を達成するため、以下の特徴点を有している。すなわち、本発明のカラオケ同期演奏システムは、利用者が所持するパーソナル携帯端末から入力された選曲予約情報を中継サーバで中継することにより、各カラオケ演奏端末においてカラオケ楽曲の選曲予約を行う機能を有し、ネットワーク接続された少なくとも２つの前記カラオケ演奏端末を同期させて、同一のカラオケ楽曲を同時に演奏することが可能な同期演奏モードを備えたカラオケ同期演奏システムである。
【００１３】
このカラオケ同期演奏システムは、キーコード発行手段と、選曲管理情報表示手段と、選曲管理情報取得手段と、同期演奏募集情報送信手段と、同期演奏募集情報登録手段と、閲覧要求信号送信手段と、同期演奏募集情報転送手段と、同期演奏応募情報送信手段と、同期演奏情報送信手段と、同期演奏情報表示手段と、同期演奏情報取得手段と、同期演奏モード移行手段と、キーコード情報送信手段と、キーコード情報管理手段と、選曲予約情報送信手段と、選曲予約情報転送手段と、予約管理手段とを備えている。
【００１４】
選曲管理情報取得手段と、同期演奏募集情報送信手段と、閲覧要求信号送信手段と、同期演奏応募情報送信手段と、同期演奏情報取得手段と、選曲予約情報送信手段は、パーソナル携帯端末の機能として実現される。
【００１５】
同期演奏募集情報登録手段と、同期演奏募集情報転送手段と、同期演奏情報送信手段と、選曲予約情報転送手段は、中継サーバの機能として実現される。
【００１６】
キーコード発行手段と、選曲管理情報表示手段と、同期演奏情報表示手段と、同期演奏モード移行手段と、キーコード情報送信手段と、キーコード情報管理手段と、予約管理手段は、カラオケ演奏端末の機能として実現される。
【００１７】
キーコード発行手段は、カラオケ演奏端末とパーソナル携帯端末をペアリングさせるためのキーコードを発行するための手段である。選曲管理情報表示手段は、発行したキーコードとカラオケ演奏端末を識別するための演奏端末ＩＤとからなる選曲管理情報を表示するための手段である。選曲管理情報取得手段は、表示された選曲管理情報を取得して所定の記憶領域に記憶するための手段である。
【００１８】
同期演奏募集情報送信手段は、募集者のパーソナル携帯端末から、中継サーバに対して、同期演奏応募者を募る旨と、当該パーソナル携帯端末に紐付けされたカラオケ演奏端末の演奏端末ＩＤとを含む同期演奏募集情報を送信するための手段である。同期演奏募集情報登録手段は、同期演奏募集情報を受信して、所定の格納領域に登録するための手段である。
【００１９】
閲覧要求信号送信手段は、応募者のパーソナル携帯端末から、中継サーバに対して、同期演奏募集情報の閲覧要求信号を送信するための手段である。同期演奏募集情報転送手段は、同期演奏募集情報の閲覧要求信号を受信すると、当該同期演奏募集情報の閲覧要求信号を送信した応募者のパーソナル携帯端末に対して、登録された同期演奏募集情報を転送するための手段である。
【００２０】
同期演奏応募情報送信手段は、同期演奏募集情報が転送された応募者のパーソナル携帯端末において、同期演奏参加を希望する任意の同期演奏募集情報に対して同期演奏に応募する旨と、当該パーソナル携帯端末に紐付けされたカラオケ演奏端末の演奏端末ＩＤとを含む同期演奏応募情報を中継サーバに送信するための手段である。
【００２１】
同期演奏情報送信手段は、同期演奏応募情報を受信した場合に、当該同期演奏応募情報に該当する募集者のパーソナル携帯端末に紐付けされたカラオケ演奏端末に対して、同期演奏を実施する旨と、応募者のパーソナル携帯端末に紐付けされたカラオケ演奏端末の演奏端末ＩＤとを含む同期演奏情報を送信すると共に、応募者のパーソナル携帯端末に紐付けされたカラオケ演奏端末に対して、同期演奏を実施する旨及び募集者のパーソナル携帯端末に紐付けされたカラオケ演奏端末の演奏端末ＩＤとを含む同期演奏情報を送信するための手段である。
【００２２】
同期演奏情報表示手段は、同期演奏情報を受信すると、各カラオケ演奏端末において、同期演奏情報を表示するための手段である。同期演奏情報取得手段は、表示された同期演奏情報を取得して所定の記憶領域に記憶するための手段である。同期演奏モード移行手段は、同期演奏情報を受信した各カラオケ演奏端末を同期演奏モードに移行させるための手段である。
【００２３】
キーコード情報送信手段は、発行したキーコード及び当該キーコードを発行したカラオケ演奏端末の演奏端末ＩＤからなるキーコード情報を、同期演奏情報に含まれる演奏端末ＩＤを有するカラオケ演奏端末に送信するための手段である。キーコード情報管理手段は、受信したキーコード情報をキーコード情報管理テーブルにて管理するための手段である。
【００２４】
選曲予約情報送信手段は、募集者又は応募者のいずれか一方のパーソナル携帯端末から、中継サーバに対して、記憶した選曲管理情報（自らの演奏端末ＩＤと発行したキーコード）及び同期演奏情報に含まれる演奏端末ＩＤ（同期演奏モードに移行している他の演奏端末ＩＤ）と、選曲された楽曲の楽曲ＩＤとを含む選曲予約情報を送信するための手段である。選曲予約情報転送手段は、選曲予約情報を受信すると、当該選曲予約情報の選曲管理情報に含まれるキーコードと楽曲ＩＤとを、当該選曲予約情報に含まれる演奏端末ＩＤを有する各カラオケ演奏端末に転送するための手段である。
【００２５】
予約管理手段は、カラオケ演奏端末において、受信した選曲予約情報に含まれるキーコードが、発行したキーコード又はキーコード情報管理テーブルにて管理しているキーコードのいずれか一つと一致した場合には、当該受信した選曲予約情報に基づく選曲予約を行い、一致しない場合には、当該受信した選曲予約情報に基づく選曲予約を行わない機能を発揮するための手段である。
【００２６】
また、本発明のカラオケ同期演奏システムは、上述した構成に加えて、更新キーコード情報送信手段をさらに備えることが可能である。更新キーコード情報送信手段は、カラオケ演奏端末の機能として実現される。
【００２７】
このような構成の場合には、キーコード発行手段は、所定時間毎にキーコードを発行するように機能する。更新キーコード情報送信手段は、キーコードが発行される毎に、当該発行したキーコード及び当該キーコードを発行したカラオケ演奏端末の演奏端末ＩＤからなる更新キーコード情報を、同期演奏情報に含まれる演奏端末ＩＤを有するカラオケ演奏端末に送信するための手段である。
【００２８】
そして、キーコード情報管理手段は、キーコード情報管理テーブルにおいて、受信した更新キーコード情報に含まれる演奏端末ＩＤに対応するキーコードを、受信した更新キーコード情報に含まれるキーコードに更新するように機能する。
【００２９】
また、本発明のカラオケ同期演奏システムは、上述した構成に加えて、同期演奏応募者存在情報送信手段と、同期演奏応募者存在情報表示手段と、同期演奏許諾情報送信手段と、同期演奏情報送信許可手段とをさらに備えることが可能である。
【００３０】
同期演奏応募者存在情報送信手段と、同期演奏情報送信許可手段は、中継サーバの機能として実現される。同期演奏許諾情報送信手段は、パーソナル携帯端末の機能として実現される。同期演奏応募者存在情報表示手段は、カラオケ演奏端末の機能として実現される。
【００３１】
同期演奏応募者存在情報送信手段は、応募者のパーソナル携帯端末から同期演奏応募情報を受信した場合に、募集者のパーソナル携帯端末に紐付けされたカラオケ演奏端末に当該同期演奏応募者存在情報を送信するための手段である。同期演奏応募者存在情報表示手段は、募集者のパーソナル携帯端末に紐付けされたカラオケ演奏端末において、同期演奏応募者存在情報を表示させるための手段である。
【００３２】
同期演奏許諾情報送信手段は、募集者が同期演奏応募者存在情報に基づく同期演奏参加の許諾を指示した場合に、同期演奏許諾情報を送信するための手段である。同期演奏情報送信許可手段は、同期演奏許諾情報を受信した場合に、同期演奏情報送信手段における同期演奏情報の送信を許可するための手段である。
【発明の効果】
【００３３】
本発明のカラオケ同期演奏システムによれば、パーソナル携帯端末を選曲予約用のリモコン装置として使用し、同期演奏の募集者又は応募者のいずれか一方のパーソナル携帯端末で予約操作を行うことにより、募集者及び応募者の双方のカラオケ演奏端末において、同一のカラオケ楽曲を略同時に演奏開始させることができる。
【００３４】
すなわち、本発明のカラオケ同期演奏システムを利用することにより、ネットワーク接続された少なくとも２つのカラオケ演奏端末を同期させて、同一のカラオケ楽曲を同時に演奏する際に、各カラオケ演奏端末の利用者が違和感を覚えないように、それぞれのカラオケ演奏端末における演奏開始タイミングを略一致させることができる。これにより、例えばデュエット曲を別個のカラオケ演奏端末で同時に演奏して歌唱を楽しむことができる。
【００３５】
また、パーソナル携帯端末をカラオケ楽曲の選曲予約用リモコン装置として利用する際に、選曲予約を行うためのキーコードを発行して、このキーコードと共に受信した楽曲ＩＤ以外による選曲予約を行わないので、有効なキーコードを知ることができない利用者は、パーソナル携帯端末を用いてカラオケ楽曲の選曲予約を行うことができない。したがって、カラオケ店外から悪戯に選曲予約操作を行おうとしても、有効なキーコードを知ることができないので、正規の選曲予約操作が混乱することを防止可能となる。
【図面の簡単な説明】
【００３６】
【図１】本発明の実施形態に係るカラオケ同期演奏システムの全体構成を示すブロック図。
【図２】本発明の実施形態に係る中継サーバの構成を示すブロック図。
【図３】本発明の実施形態に係るカラオケ演奏端末の構成を示すブロック図。
【図４】本発明の実施形態に係るパーソナル携帯端末の構成を示すブロック図。
【図５】本発明の実施形態に係るカラオケ同期演奏システムにおける同期演奏の手順を示すタイミングチャート。
【図６】本発明の実施形態に係るカラオケ同期演奏システムにおける同期演奏参加許可の手順を示すタイミングチャート。
【図７】本発明の実施形態に係るカラオケ同期演奏システムにおける選曲予約実行判断の手順を示すフローチャート。
【発明を実施するための形態】
【００３７】
以下、図面を参照して、本発明のカラオケ同期演奏システムの実施形態について説明する。図１〜図７は本発明の実施形態に係るカラオケ同期演奏システムを示すもので、図１はカラオケ同期演奏システムの全体構成のブロック図、図２は中継サーバのブロック図、図３はカラオケ演奏端末のブロック図、図４はパーソナル携帯端末のブロック図、図５は同期演奏の手順を示すタイミングチャート、図６は同期演奏参加許可の手順を示すタイミングチャート、図７は選曲予約実行判断の手順を示すフローチャートである。
【００３８】
＜カラオケ同期演奏システムの概要＞
本発明の実施形態に係るカラオケ同期演奏システムは、図１に示すように、任意の利用者のパーソナル携帯端末６０とカラオケ演奏端末８０とを紐付けして管理することを前提として、当該パーソナル携帯端末６０を用いて、紐付けされたカラオケ演奏端末８０において選曲予約を行うことが可能なシステムであり、このシステムにおいて、ネットワーク接続された少なくとも２つのカラオケ演奏端末８０を同期させて、同一のカラオケ楽曲を略同時に演奏することができるようにしたものである。
【００３９】
また、本発明の実施形態に係るカラオケ同期演奏システムは、利用者が所有するパーソナル携帯端末６０を用いて選曲を行うことが可能なシステムであり、任意のカラオケ演奏端末８０において選曲予約を許可するためのキーコードを発行し、選曲予約情報に有効なキーコードが含まれている場合のみに、選曲予約を行わせるようになっている。
【００４０】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００４１】
本発明の実施形態に係るカラオケ同期演奏システム１０は、同期演奏応募者の設定を行うと共に同期演奏を実行するための手段として、図１〜図４に示すように、同期演奏募集情報送信手段６６と、同期演奏募集情報登録手段４３と、閲覧要求信号送信手段６７と、同期演奏募集情報転送手段４４と、同期演奏応募情報送信手段６８と、同期演奏情報送信手段４５と、同期演奏情報表示手段１０１と、同期演奏モード移行手段１０２と、同期演奏情報取得手段６９と、選曲予約情報送信手段６１と、選曲予約情報転送手段４６を備えている。また、正規の選曲予約操作が混乱することを防止するための手段として、キーコード発行手段１０３と、選曲管理情報表示手段１０４と、選曲管理情報取得手段６５と、キーコード情報送信手段１０５と、キーコード情報管理手段１０６と、予約管理手段９７を備えている。
【００４２】
選曲管理情報取得手段６５と、同期演奏募集情報送信手段６６と、閲覧要求信号送信手段６７と、同期演奏応募情報送信手段６８と、同期演奏情報取得手段６９と、選曲予約情報送信手段６１は、パーソナル携帯端末６０の機能として実現される。
【００４３】
同期演奏募集情報登録手段４３と、同期演奏募集情報転送手段４４と、同期演奏情報送信手段４５と、選曲予約情報転送手段４６は、中継サーバ４０の機能として実現される。
【００４４】
同期演奏情報表示手段１０１と、同期演奏モード移行手段１０２と、キーコード発行手段１０３と、選曲管理情報表示手段１０４と、キーコード情報送信手段１０５と、キーコード情報管理手段１０６と、予約管理手段９７は、カラオケ演奏端末８０の機能として実現される。
【００４５】
また、本実施形態のカラオケ同期演奏システム１０は、図１〜図４に示すように、更新キーコード情報送信手段１０７をさらに備えることが可能である。更新キーコード情報送信手段１０７は、カラオケ演奏端末８０の機能として実現される。
【００４６】
また、本実施形態のカラオケ同期演奏システム１０は、図１〜図４に示すように、同期演奏応募者存在情報送信手段４７と、同期演奏応募者存在情報表示手段１０８と、同期演奏許諾情報送信手段７０と、同期演奏情報送信許可手段４８をさらに備えることが可能である。
【００４７】
同期演奏応募者存在情報送信手段４７と、同期演奏情報送信許可手段４８は、中継サーバ４０の機能として実現され、同期演奏許諾情報送信手段７０は、パーソナル携帯端末６０の機能として実現され、同期演奏応募者存在情報表示手段１０８は、カラオケ演奏端末８０の機能として実現される。なお、本実施形態において、付加的な手段は、図２〜図４のブロック図において破線で示している。各手段の機能については、後に詳述する。
【００４８】
＜カラオケ同期演奏システム＞
本発明の実施形態に係るカラオケ同期演奏システム１０は、図１に示すように、中継サーバ４０と複数のカラオケ演奏端末８０とが通信ネットワーク２０（本実施形態では、インターネット）を介して相互に接続されている。通信ネットワーク２０は、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネットにより構成されるＶＰＮを利用することが好ましい。
【００４９】
＜中継サーバ＞
中継サーバ４０は、パーソナル携帯端末６０を利用した選曲予約や、同期演奏に関する情報の中継を行う中継サーバ４０であり、図２に示すように、サーバ制御手段４１、送受信手段４２、同期演奏募集情報登録手段４３、同期演奏募集情報転送手段４４、同期演奏情報送信手段４５、選曲予約情報転送手段４６を備えている。また、本実施形態では、中継サーバ４０の機能手段として、同期演奏応募者存在情報送信手段４７、同期演奏情報送信許可手段４８を備えることが可能である。なお、他の機能を有するサーバに中継サーバ４０としての機能を持たせてもよい。この場合、サーバの仮想化技術等を用いることができる。
【００５０】
＜サーバ制御手段／送受信手段＞
サーバ制御手段４１は、中継サーバ４０を統括的に制御するための手段であり、ＣＰＵ及びその周辺機器を含んで構成され、ＣＰＵ等がＲＯＭ等に格納されたプログラムに従って動作することにより制御機能を発揮するようになっている。送受信手段４２は、各カラオケ演奏端末８０との間で、各種データの送受信を行うための手段であり、通信ネットワーク２０（インターネット）における通信方式の整合性を保つための通信回路やプログラムにより構成される。
【００５１】
＜同期演奏募集情報登録手段＞
同期演奏募集情報登録手段４３は、募集者のパーソナル携帯端末６０から同期演奏募集情報を受信して、所定の格納領域に登録するためのプログラムからなる。すなわち、同期演奏募集情報登録手段４３は、同期演奏を希望する利用者（募集者）のパーソナル携帯端末６０から送信されてきた同期演奏募集情報を受信して、当該同期演奏募集情報を所定の格納領域（例えばＨＤＤ）に登録する（記憶する）。また、同期演奏募集情報登録手段４３では、同期演奏募集情報を受信すると、この同期演奏募集情報を所定の公開領域において公開してもよい。例えば、中継サーバ４０において同期演奏募集ページを設定し、この同期演奏募集ページにおいて、同期演奏モードへ移行する利用者を募る旨の情報等を表示することができる。
【００５２】
＜同期演奏募集情報転送手段＞
同期演奏募集情報転送手段４４は、同期演奏募集情報の閲覧要求信号を受信すると、当該同期演奏募集情報の閲覧要求信号を送信した応募者のパーソナル携帯端末６０に対して、登録された同期演奏募集情報を転送するためのプログラムからなる。すなわち、同期演奏への参加を希望する応募者からの閲覧要求信号を受信した場合に、当該応募者のパーソナル携帯端末６０に同期演奏募集情報を転送することにより、当該応募者は、同期演奏の募集に関する種々の情報を得ることができる。
【００５３】
＜同期演奏情報送信手段＞
同期演奏情報送信手段４５は、同期演奏応募情報を受信した場合に、募集者のパーソナル携帯端末６０に紐付けされたカラオケ演奏端末８０に対して、同期演奏を実施する旨及び応募者のパーソナル携帯端末６０に紐付けされたカラオケ演奏端末８０の識別情報（携帯端末ＩＤ）を含む同期演奏情報を送信すると共に、応募者のパーソナル携帯端末６０に紐付けされたカラオケ演奏端末８０に対して、同期演奏を実施する旨及び募集者のパーソナル携帯端末６０に紐付けされたカラオケ演奏端末８０の識別情報（携帯端末ＩＤ）を含む同期演奏情報を送信するためのプログラムからなる。
【００５４】
すなわち、同期演奏情報には、同期演奏を実施する旨と、募集者又は応募者のパーソナル携帯端末６０に紐付けされたカラオケ演奏端末８０の識別情報（携帯端末ＩＤ）とが含まれており、当該同期演奏情報を取得した利用者（応募者又は利用者）のパーソナル携帯端末６０を用いて選曲予約を行うと、同期演奏に参加する利用者（応募者又は利用者）のカラオケ演奏端末８０において同期演奏を実施することができる。
【００５５】
＜選曲予約情報転送手段＞
選曲予約情報転送手段４６は、同期演奏に参加するいずれかのパーソナル携帯端末６０から選曲予約情報を受信すると、当該選曲予約情報を、当該選曲予約情報に含まれる識別情報を有する各カラオケ演奏端末８０に送信するためのプログラムからなる。すなわち、選曲予約情報転送手段４６は、同期演奏に参加する利用者が選曲予約を行うと、当該同期演奏に参加する各カラオケ演奏端末８０に対して、同期演奏を行うための選曲予約情報を送信する。
【００５６】
＜同期演奏応募者存在情報送信手段＞
同期演奏応募者存在情報送信手段４７は、応募者のパーソナル携帯端末６０から同期演奏応募情報を受信した場合に、募集者のパーソナル携帯端末６０に紐付けされたカラオケ演奏端末８０に当該同期演奏応募情報を送信するためのプログラムからなる。この同期演奏応募者存在情報送信手段４７の機能により、同期演奏への応募者が存在した場合に、当該応募者の存在を募集者に告知すると共に、当該応募者が同期演奏に参加することを許可するか否かを判断するための情報を提供することができる。
【００５７】
＜同期演奏情報送信許可手段＞
同期演奏情報送信許可手段４８は、募集者のパーソナル携帯端末６０から同期演奏許諾情報を受信した場合に、同期演奏情報送信手段４５における同期演奏情報の送信を許可するためのプログラムからなる。すなわち、同期演奏情報送信許可手段４８は、同期演奏応募者存在情報送信手段４７、同期演奏応募者存在情報表示手段１０８、同期演奏許諾情報送信手段７０と協働して機能する付加的手段であり、上述したように、同期演奏の募集者に対して、応募者による同期演奏への参加を許可するか否かを判断させる場合に機能する手段である。
【００５８】
＜カラオケ演奏端末＞
カラオケ演奏端末８０は、図３に示すように、カラオケ本体８１、スピーカ８２、マイクロホン８３、表示装置８４、ミキシングアンプ８５を備えている。なお、本発明の実施形態に係るカラオケ演奏端末８０は、パーソナル携帯端末６０を選曲予約用のリモコン装置として利用するが、パーソナル携帯端末６０を用いない利用者のために、専用のカラオケリモコン装置８６を備えていてもよい。また、本実施形態では、カラオケリモコン装置８６に付帯する入出力表示部（図示せず）は、同期演奏情報や選曲管理情報を表示するための表示装置８４として機能させることができる。
【００５９】
＜カラオケ本体＞
カラオケ本体８１は、図３に示すように、ネットワーク送受信手段９１、中央制御手段９２、ＲＯＭ９３、ＲＡＭ９４、ＨＤＤ９５、ローカル送受信手段９６、予約管理手段９７、音楽再生制御手段９８、Ａ／Ｄコンバータ９９、映像再生制御手段１００、同期演奏情報表示手段１０１、同期演奏モード移行手段１０２、キーコード発行手段１０３、選曲管理情報表示手段１０４、キーコード情報送信手段１０５、キーコード情報管理手段１０６を備えている。また、本実施形態のカラオケ本体８１は、更新キーコード情報送信手段１０７、同期演奏応募者存在情報表示手段１０８をさらに備えている。
【００６０】
＜中央制御手段＞
中央制御手段９２は、カラオケ本体８１を総合的に制御するための手段であり、例えばＣＰＵ及びその周辺機器により構成されており、ＣＰＵ等がＲＯＭ９３等に記憶されたプログラムに従って動作することにより、制御機能を発揮することができるようになっている。
【００６１】
＜ＲＯＭ／ＲＡＭ＞
ＲＯＭ９３は、カラオケ本体８１を構成する各機器を制御するためのプログラムデータや数値データを記憶するための機器で、例えば半導体メモリ等で構成される。また、ＲＡＭ９４は、プログラムや各種データを一時的に記憶する一時記憶領域として機能するもので、例えば半導体メモリ等で構成される。なお、物理的な半導体メモリによりＲＡＭ９４を構成するのではなく、ハードディスク記憶装置等を用いて仮想的なＲＡＭ９４を構成してもよい。本実施形態では、ＲＡＭ９４に、予約待ち行列９４ａ、キーコード発行手段１０３で発行したキーコード（キーコード（自）９４ｂ）、同期演奏モードに移行している他のカラオケ演奏端末８０で発行されたキーコードを管理するためのキーコード情報管理テーブル９４ｃが記憶されている。
【００６２】
＜予約待ち行列＞
予約待ち行列９４ａは、選曲予約されたカラオケ楽曲について、演奏順に楽曲ＩＤを並べて構成したデータテーブルである。なお、予約待ち行列９４ａは、楽曲ＩＤの他に、楽曲名、選曲者等のデータを含んでいてもよい。
【００６３】
＜ＨＤＤ＞
ＨＤＤ９５は、大容量記憶装置として機能するもので、楽曲データベース９５ａ及び映像データベース９５ｂが格納されている。なお、ＨＤＤ９５に替えて、あるいはＨＤＤ９５と共に、データを書き替え可能なＤＶＤ等の大容量記憶装置を用いてもよい。
【００６４】
＜楽曲データベース／映像データベース＞
楽曲データベース９５ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース９５ｂは、演奏されるカラオケ楽曲に対応した背景映像を、当該カラオケ楽曲の楽曲ＩＤに対応させた映像ファイルとして所定数格納したデータベースである。
【００６５】
＜送受信手段＞
ローカル送受信手段９６は、カラオケ本体８１とカラオケリモコン装置８６との間で、データの送受信を行うための電子回路及びプログラムからなる。本実施形態では、赤外線通信により、カラオケ本体８１とカラオケリモコン装置８６との間でデータの送受信が行われる。ネットワーク送受信手段９１は、カラオケ本体８１と中継サーバ４０との間で、データの送受信を行うための電子回路及びプログラムからなる。
【００６６】
＜予約管理手段＞
予約管理手段９７は、選曲予約された楽曲の楽曲ＩＤを演奏順に並べて予約待ち行列９４ａを生成し、この予約待ち行列９４ａをＲＡＭ９４に格納して管理するためのプログラムからなる。また、カラオケリモコン装置８６により選曲予約が行われた場合には、予約管理手段９７は、利用者によりカラオケリモコン装置８６の選曲機能を用いて選曲された楽曲の楽曲ＩＤを演奏順に並べて予約待ち行列９４ａを生成する。
【００６７】
また、本実施形態の予約管理手段９７は、カラオケ演奏端末８０において、受信した選曲予約情報に含まれるキーコードが、発行したキーコード又はキーコード情報管理テーブル９４ｃにて管理しているキーコードのいずれか一つと一致した場合には、当該受信した選曲予約情報に基づく選曲予約を行い、一致しない場合には、当該受信した選曲予約情報に基づく選曲予約を行わない機能を有している。
【００６８】
＜音楽再生制御手段＞
音楽再生制御手段９８は、楽曲ＩＤに基づいて楽曲データベース９５ａから抽出された演奏制御データに基づいて、音源データをデジタル再生すると共にアナログ変換してミキシングアンプ８５に出力するための電子回路である。上述したように、ミキシングアンプ８５は、マイクロホン８３から入力された歌唱者の歌唱音声信号と、音楽再生制御手段９８から送出される演奏音声信号とをミキシングすると共に、アンプ機能により増幅してスピーカ８２より出力させるための装置である。
【００６９】
＜映像再生制御手段＞
映像再生制御手段１００は、カラオケ楽曲の演奏中に、映像データベース９５ｂから抽出した背景映像データと、楽曲データベース９５ａに含まれる歌詞描出データ（テロップデータ）とを、当該カラオケ楽曲の演奏データに同期させて表示装置８４に出力するためのプログラムからなる。
【００７０】
＜同期演奏情報表示手段＞
同期演奏情報表示手段１０１は、各カラオケ演奏端末８０において、中継サーバ４０から受信した同期演奏情報を表示するためのプログラムからなる。同期演奏情報は、募集者からの同期演奏募集情報に対して、当該同期演奏に参加を希望する応募者が存在する場合に生成される情報で、同期演奏を実施する旨と、募集者のパーソナル携帯端末６０に紐付けされたカラオケ演奏端末８０の識別情報（演奏端末ＩＤ）又は応募者のパーソナル携帯端末６０に紐付けされたカラオケ演奏端末８０の識別情報（演奏端末ＩＤ）とを含んでいる。なお、同期演奏情報は、２次元バーコード化して、表示装置８４の表示画面に表示することができる。
【００７１】
後に詳述するが、同期演奏の募集者及び応募者は、パーソナル携帯端末６０の同期演奏情報取得手段６９の機能により、当該同期演奏情報を取得することにより、選曲予約情報に同期演奏情報を含ませることができる。
【００７２】
＜同期演奏モード移行手段＞
同期演奏モード移行手段１０２は、同期演奏情報を受信した各カラオケ演奏端末８０を同期演奏モードに移行させるためのプログラムからなる。すなわち、カラオケ演奏端末８０が同期演奏情報を受信すると、ネットワーク接続された各カラオケ演奏端末８０では、同期演奏モード移行手段１０２の機能により同期演奏モードに移行し、同期演奏モードでは、各カラオケ演奏端末８０にて紐付けされたパーソナル携帯端末６０からの選曲予約のみを受け付け、楽曲演奏中は選曲予約を一切受け付けず、各カラオケ演奏端末８０にて演奏がなされていない期間に、各カラオケ演奏端末８０にて紐付けされたパーソナル携帯端末６０から受信した、選曲予約情報に基づくカラオケ楽曲の演奏を開始するため、同一のカラオケ楽曲を略同時に演奏開始することが可能となる。
【００７３】
これにより、同期演奏の募集者及び応募者のパーソナル携帯端末６０とペアリングされた各カラオケ演奏端末８０において、いずれかのパーソナル携帯端末６０から発信された演奏予約情報が、中継サーバ４０を介してネットワーク接続された各カラオケ演奏端末８０に同時に送信されることにより、同一のカラオケ楽曲を略同時に演奏開始することができるので、各カラオケ演奏端末８０の利用者は、デュエット等を楽しむことができる。
【００７４】
＜キーコード発行手段＞
キーコード発行手段１０３は、カラオケ演奏端末８０とパーソナル携帯端末６０をペアリングさせるためのキーコードを発行するためのプログラムからなる。すなわち、キーコード発行手段１０３によりキーコードを発行することにより、パーソナル携帯端末６０を用いた選曲予約を行うことが可能となる。キーコードは、例えば、４桁の数字や、これをバーコード化した２次元バーコードからなる。発行したキーコード９４ｂは、ＲＡＭ９４に記憶される。
【００７５】
また、キーコード発行手段１０３は、所定時間毎にキーコードを発行（更新）するように構成してもよい。このように、所定時間毎にキーコードを発行（更新）することにより、悪戯等による選曲予約を、より一層確実に防止することができる。
【００７６】
＜選曲管理情報表示手段＞
選曲管理情報表示手段１０４は、発行したキーコードと、カラオケ演奏端末８０を識別するための演奏端末ＩＤとからなる選曲管理情報６２ｂを、表示装置８４の表示画面に表示するためのプログラムからなる。すなわち、選曲管理情報表示手段１０４は、例えば、４桁の数字からなるキーコードと、カラオケ演奏端末８０を識別するための演奏端末ＩＤとからなる選曲管理情報を２次元バーコード化して、表示装置８４の表示画面に表示する。なお、選曲管理情報を表示する表示装置８４は、カラオケ楽曲に関連した背景映像や歌詞テロップ等を表示するための表示装置８４であってもよいし、カラオケリモコン装置８６に付帯した入出力表示装置（図示せず）であってもよい。また、表示装置８４の表示画面に選曲管理情報を表示する際に、選曲管理情報を所定のアルゴリズムで暗号化し、所定桁数の数字として表示してもよい。
【００７７】
＜キーコード情報送信手段＞
キーコード情報送信手段１０５は、同期演奏モードに移行した場合に、発行したキーコード及び当該キーコードを発行したカラオケ演奏端末の演奏端末ＩＤからなるキーコード情報を、同期演奏情報に含まれる演奏端末ＩＤを有するカラオケ演奏端末８０に送信するためのプログラムからなる。このように、発行したキーコードを、同期演奏モードに移行した他のカラオケ演奏端末８０に送信することにより、各カラオケ演奏端末８０では、取得した他のカラオケ演奏端末８０で発行したキーコード及び自らのカラオケ演奏端末８０で発行したキーコードを用いて、予約管理手段９７における選曲予約実行判断を行うことができる。
【００７８】
＜キーコード情報管理手段＞
キーコード情報管理手段１０６は、同期演奏モードに移行しているカラオケ演奏端末８０から受信したキーコード情報をキーコード情報管理テーブル９４ｃにて管理するためのプログラムからなる。キーコード情報管理テーブル９４ｃは、同期演奏モードに移行している他のカラオケ演奏端末８０の演奏端末ＩＤと、当該他のカラオケ演奏端末８０で発行したキーコードとを関連付けたデータテーブルであり、ＲＡＭ９４に記憶されている。このキーコード情報管理テーブル９４ｃを参照することにより、同期演奏モードに移行している他のカラオケ演奏端末８０で発行されたキーコードを認識することができる。
【００７９】
また、キーコード情報管理手段１０６は、キーコード情報管理テーブル９４ｃにおいて、他のカラオケ演奏端末８０から受信した更新キーコード情報に含まれる演奏端末ＩＤに対応するキーコードを、受信した更新キーコード情報に含まれるキーコードに更新する機能を有している。
【００８０】
＜更新キーコード情報送信手段＞
更新キーコード情報送信手段１０７は、キーコードが発行される毎に、当該発行したキーコード及び当該キーコードを発行したカラオケ演奏端末８０の演奏端末ＩＤからなる更新キーコード情報を、同期演奏情報に含まれる演奏端末ＩＤを有するカラオケ演奏端末８０に送信するためのプログラムからなる。このように、キーコードを更新した場合に、同期演奏モードに移行した他のカラオケ演奏端末８０に対して、当該更新したキーコードを送信することにより、各カラオケ演奏端末８０では、キーコード情報管理手段１０６の機能により、他のカラオケ演奏端末８０で更新したキーコードをキーコード情報管理テーブル９４ｃにて管理することができる。
【００８１】
＜同期演奏応募者存在情報表示手段＞
同期演奏応募者存在情報表示手段１０８は、募集者に対して、応募者からの参加要請を許可するか否かを決定させる権限を与える場合に機能する手段である。すなわち、同期演奏応募者存在情報表示手段１０８は、応募者のパーソナル携帯端末６０から中継サーバ４０に対して同期演奏応募情報が送信され、当該同期演奏応募情報が募集者のパーソナル携帯端末６０とペアリングされたカラオケ演奏端末８０に送信された場合に、当該同期演奏応募情報を表示装置８４の表示画面に表示させるためのプログラムからなる。これにより、募集者は、応募者から参加要請があったことを認識することができる。
【００８２】
＜マイクロホン＞
マイクロホン８３は、歌唱音声の入力を行うための装置である。マイクロホン８３から入力された歌唱音声信号はミキシングアンプ８５に入力され、音楽再生制御手段９８から送出される演奏音声信号とミキシングされると共に増幅されてスピーカ８２へ出力される。また、マイクロホン８３から入力された歌唱音声信号はＡ／Ｄコンバータ９９によりデジタル変換されて、同期演奏モードにおいて、中継サーバ４０等を介して他のカラオケ演奏端末８０に送信される。これにより、同期演奏を行う他のカラオケ演奏端末８０において、同時に歌唱を行うことができる。
【００８３】
＜表示装置＞
表示装置８４は、カラオケ楽曲に関連した背景映像や歌詞テロップ等を表示するための装置で、例えば、液晶ディスプレイ等により構成される。本実施形態では、表示装置８４の表示画面に同期演奏情報が表示される。
【００８４】
＜パーソナル携帯端末＞
パーソナル携帯端末６０は、図１に示すように、データ通信機能を用いて、モバイルＷＷＷサーバ１１０に格納された選曲用アプリケーションソフト１１１をダウンロードし、この選曲用アプリケーションソフト１１１をインストールすることにより、選曲予約機能を持たせることができる。パーソナル携帯端末６０に選曲用アプリケーションソフト１１１をインストールすると、パーソナル携帯端末６０は、楽曲検索手段６４として機能するプログラムを備えて選曲を行えるようになる。
【００８５】
また、パーソナル携帯端末６０は、図４に示すように、選曲予約情報送信手段６１、メモリ６２、携帯電話網３０を介したデータの送受信を行うための送受信手段６３、楽曲検索手段６４、選曲管理情報取得手段６５、同期演奏募集情報送信手段６６、閲覧要求信号送信手段６７、同期演奏応募情報送信手段６８、同期演奏情報取得手段６９を備えている。また、本実施形態のパーソナル携帯端末６０は、同期演奏許諾情報送信手段７０を備えることが可能である。なお、メモリ６２には、選曲した楽曲の楽曲ＩＤ６２ａ、選曲管理情報６２ｂ、同期演奏情報６２ｃが記憶されている。
【００８６】
パーソナル携帯端末６０と携帯電話網３０及びインターネット２０を介して接続されるモバイルＷＷＷサーバ１１０には、図１に示すように、選曲用アプリケーションソフト１１１及び楽曲索引データベース１１２が格納されており、パーソナル携帯端末６０が備える楽曲検索手段６４の機能により、楽曲索引データベース１１２を参照して楽曲を検索することができる。なお、楽曲索引データベース１１２をモバイルＷＷＷサーバ１１０に格納するのではなく、パーソナル携帯端末６０にダウンロードして、ローカルで楽曲検索を行ってもよい。
【００８７】
＜楽曲検索手段／楽曲索引データベース＞
楽曲検索手段６４は、利用者の指示に基づき、楽曲索引データベース１１２を参照して楽曲を検索するためのプログラムからなる。楽曲索引データベース１１２は、カラオケ演奏端末８０で演奏に供されるカラオケ楽曲について、その属性情報を記述したデータベースであり、例えば、楽曲ＩＤ・曲名・歌手名・歌い出し部分の歌詞・流行時期・音楽ジャンル区分・デュエット曲か否かなど、種々の属性情報がこれに含まれている。
【００８８】
＜選曲管理情報取得手段＞
選曲管理情報取得手段６５は、表示装置８４の表示画面に表示された選曲管理情報６２ｂを取得して、メモリ６２に記憶させるためのプログラムからなる。上述したように、表示装置８４の表示画面には、２次元バーコード化された選曲管理情報６２ｂが表示されるので、選曲管理情報取得手段６５は、パーソナル携帯端末６０に付帯したバーコード読取装置（図示せず）を用いて選曲管理情報６２ｂを取得することができる。なお、選曲管理情報６２ｂが所定桁数の数字からなる場合には、表示装置８４の表示画面を目視した利用者が、パーソナル携帯端末６０に付帯したテンキー等を用いて、当該数字を入力することにより、選曲管理情報６２ｂを取得してもよい。
【００８９】
＜選曲予約情報送信手段＞
選曲予約情報送信手段６１は、同期演奏の募集者又は応募者のいずれか一方のパーソナル携帯端末６０から、中継サーバ４０に対して、所定の記憶領域（メモリ６２）に記憶された同期演奏情報６２ｃと、選曲楽曲の楽曲ＩＤ６２ａとを含む選曲予約情報を送信するためのプログラムからなる。なお、選曲予約情報送信手段６１から送信される選曲予約情報は、パーソナル携帯端末６０の通信網（携帯電話網３０）及びインターネット２０を介して、中継サーバ４０へ送信される。
【００９０】
＜同期演奏募集情報送信手段＞
同期演奏募集情報送信手段６６は、募集者のパーソナル携帯端末６０から、中継サーバ４０に対して、同期演奏募集者を募る旨及び当該パーソナル携帯端末６０に紐付けされたカラオケ演奏端末８０の識別情報（演奏端末ＩＤ）を含む同期演奏募集情報を送信するためのプログラムからなる。すなわち、同期演奏を所望する利用者は、同期演奏募集情報を送信することにより、同期演奏への応募者を募ることができる。なお、選曲予約情報送信手段６１から送信される選曲予約情報は、パーソナル携帯端末６０の通信網（携帯電話網３０及びインターネット２０）を介して、中継サーバ４０へ送信される。
【００９１】
この同期演奏募集情報送信手段６６は、パーソナル携帯端末６０に選曲用アプリケーションソフト１１１をインストールすることにより、パーソナル携帯端末６０の機能手段となるように構成することができる。同様に、同期演奏を行うための他の機能手段（閲覧要求信号送信手段６７、同期演奏応募情報送信手段６８、同期演奏情報取得手段６９、同期演奏許諾情報送信手段７０）の機能も、選曲用アプリケーションソフト１１１をインストールすることにより実現することができる。
【００９２】
なお、選曲用アプリケーションソフト１１１に同期演奏の機能を含ませるのではなく、同期演奏機能を有するアプリケーションソフトを別に用意し、パーソナル携帯端末６０に当該アプリケーションソフトをインストールすることにより、同期演奏を行うための機能手段を実現してもよい。
【００９３】
＜閲覧要求信号送信手段＞
閲覧要求信号送信手段６７は、応募者のパーソナル携帯端末６０から、中継サーバ４０に対して、同期演奏募集情報の閲覧要求信号を送信するためのプログラムからなる。すなわち、同期演奏に参加したい利用者は、同期演奏募集情報を閲覧することにより、募集が行われている同期演奏の情報を取得することができる。
【００９４】
＜同期演奏応募情報送信手段＞
同期演奏応募情報送信手段６８は、同期演奏募集情報に基づく同期演奏参加を希望する応募者のパーソナル携帯端末６０から、中継サーバ４０に対して、同期演奏に応募する旨及び当該パーソナル携帯端末６０に紐付けされたカラオケ演奏端末８０の識別情報（演奏端末ＩＤ）を含む同期演奏応募情報を送信するためのプログラムからなる。中継サーバ４０では、募集者のパーソナル携帯端末６０から受信した同期演奏応募情報及び応募者のパーソナル携帯端末６０から受信した同期演奏応募情報に基づいて、同期演奏を行わせるための情報（同期演奏情報）を生成することができる。
【００９５】
＜同期演奏情報取得手段＞
同期演奏情報取得手段６９は、カラオケ演奏端末８０の同期演奏情報表示手段１０１の機能により、表示装置８４等に表示された同期演奏情報６２ｃを取得して所定の記憶領域（メモリ６２）に記憶するためのプログラムからなる。同期演奏の募集者及び応募者は、当該同期演奏情報６２ｃを用いて、各カラオケ演奏端末８０を同期演奏させることができる。
【００９６】
具体的には、同期演奏の応募者となる利用者（募集者及び応募者）の各パーソナル携帯端末６０とペアリングされたカラオケ演奏端末８０において、その表示装置８４の表示画面に２次元バーコード化された同期演奏情報６２ｃを表示し、同期演奏情報取得手段６９は、パーソナル携帯端末６０に付帯したバーコード読取装置（図示せず）を用いて同期演奏情報６２ｃを取得してメモリ６２に記憶する。なお、同期演奏情報６２ｃが所定桁数の数字からなる場合には、表示装置８４の表示画面を目視した利用者が、パーソナル携帯端末６０に付帯したテンキー等を用いて、当該数字を入力することにより、同期演奏情報６２ｃを取得してもよい。
【００９７】
＜同期演奏許諾情報送信手段＞
同期演奏許諾情報送信手段７０は、募集者に対して、応募者からの参加要請を許可するか否かを決定させる権限を与える場合に機能する手段である。すなわち、同期演奏許諾情報送信手段７０は、中継サーバ４０の同期演奏応募者存在情報送信手段４７の機能により、募集者に対して応募者が存在する旨の報知が行われた場合に、募集者が、応募者からの同期演奏応募情報に基づく同期演奏参加の許諾を指示すると、中継サーバ４０に対して同期演奏許諾情報を送信するプログラムからなる。
【００９８】
＜カラオケ楽曲の同期演奏＞
次に、図５及び図６を参照して、本実施形態のカラオケ同期演奏システム１０におけるカラオケ楽曲の同期演奏について説明する。
【００９９】
カラオケ楽曲の同期演奏を行うには、図５に示すように、同期演奏を希望する利用者（募集者）が、自ら所有するパーソナル携帯端末６０の同期演奏募集情報送信手段６６の機能により、同期演奏募集情報を中継サーバ４０に送信する（Ｓ１１）。同期演奏募集情報には、同期演奏モードへ移行することを希望する旨の情報及び当該パーソナル携帯端末６０に紐付けされたカラオケ演奏端末８０の識別情報（演奏端末ＩＤ）を含んでいる。
【０１００】
同期演奏募集情報を受信した中継サーバ４０では、同期演奏募集情報登録手段４３の機能により、当該同期演奏募集情報を登録して管理する（Ｓ１２）。同期演奏に参加することを希望する他の利用者（応募者）は、自ら所有するパーソナル携帯端末６０の閲覧要求信号送信手段６７の機能により、中継サーバ４０に対して閲覧要求信号を送信する（Ｓ１３）。応募者のパーソナル携帯端末６０から閲覧要求信号を受信した中継サーバ４０は（Ｓ１４）、登録管理している同期演奏募集情報を、当該応募者のパーソナル携帯端末６０に送信する（Ｓ１５）。応募者のパーソナル携帯端末６０が同期演奏募集情報を受信すると（Ｓ１６）、応募者は、同期演奏の募集状況を認識することができる。
【０１０１】
そして、応募者が同期演奏への参加を所望する場合には、当該応募者のパーソナル携帯端末６０の同期演奏応募情報送信手段６８の機能により、中継サーバ４０に対して、参加を所望する同期演奏募集情報を特定して、自らのパーソナル携帯端末６０に紐付けされたカラオケ演奏端末８０の識別情報（演奏端末ＩＤ）を含む同期演奏応募情報を送信し（Ｓ１７）、中継サーバ４０では、当該同期演奏応募情報を受信する（Ｓ１８）。
【０１０２】
ここで、募集者に対して、応募者からの参加要求を受け入れるか否かを判断させる場合には、図６に示すように、中継サーバ４０の同期演奏応募者存在情報送信手段４７の機能により、当該募集者のパーソナル携帯端末６０に紐付けされたカラオケ演奏端末８０に対して、同期演奏応募者存在情報を送信する（Ｓ３０）。同期演奏応募者存在情報を受信したカラオケ演奏端末８０では、表示装置８４の表示画面に同期演奏応募者存在情報を表示して（Ｓ３１）、同期演奏への応募者が存在する旨を報知する。
【０１０３】
そして、募集者が、応募者からの参加要求を受け入れる場合には、募集者のパーソナル携帯端末６０の同期演奏許諾情報送信手段７０の機能により、中継サーバ４０に対して、同期演奏許諾情報を送信する（Ｓ３２）。同期演奏許諾情報を受信した中継サーバ４０は（Ｓ３３）、同期演奏情報送信許可手段４８の機能により、同期演奏情報の送信を許可する。同期演奏情報の送信が許可されると、同期演奏情報送信手段４５の機能により、募集者及び応募者のパーソナル携帯端末６０と、各パーソナル携帯端末６０に紐付けされたカラオケ演奏端末８０に対して、同期演奏を実施させるための同期演奏情報を送信する（Ｓ１９）。
【０１０４】
なお、募集者に対して、応募者からの参加要求を受け入れるか否かを判断させない場合には、図６に示す各処理（Ｓ３０〜Ｓ３３）を省略して、募集者及び応募者のパーソナル携帯端末６０とペアリングされたカラオケ演奏端末８０に対して、同期演奏を実施させるための同期演奏情報を送信する（Ｓ１９）。
【０１０５】
中継サーバ４０から同期演奏情報を受信した募集者及び応募者のパーソナル携帯端末６０と紐付けされたカラオケ演奏端末８０では、表示装置８４の表示画面に同期演奏情報を表示する（Ｓ２０−１、Ｓ２０−２）。また、募集者及び応募者は、それぞれパーソナル携帯端末６０の同期演奏情報取得手段６９の機能により、表示された同期演奏情報６２ｃを取得して（Ｓ２１−１、Ｓ２１−２）、メモリ６２に記憶する。これにより、同期演奏モードに移行した各カラオケ演奏端末８０において、募集者又は応募者からの選曲予約情報を受信して、同期演奏を開始させることができる。また、各カラオケ演奏端末８０では、同期演奏モードに移行する（Ｓ２２−１、Ｓ２２−２）。
【０１０６】
各カラオケ演奏端末８０が同期演奏モードに移行すると、各カラオケ演奏端末８０は、発行したキーコードを含むキーコード情報を他のカラオケ演奏端末８０に送信し（Ｓ２３−１、Ｓ２３−２）、各カラオケ演奏端末８０は、送信されてきたキーコードを受信する（Ｓ２４−１、Ｓ２４−２）。
【０１０７】
同期演奏モードに移行した各カラオケ演奏端末８０に紐付けされているパーソナル携帯端末６０のいずれかから、選曲予約情報送信手段６１の機能により、中継サーバ４０に対して選曲予約情報が送信されると（Ｓ２５）、中継サーバ４０では、選曲予約情報転送手段４６の機能により、同期演奏モードに移行した各カラオケ演奏端末８０に対して、当該選曲予約情報を受信して中継する（Ｓ２６）。
【０１０８】
同期演奏モードに移行した各カラオケ演奏端末８０では、選曲予約情報を受信すると（Ｓ２７−１、Ｓ２７−２）、予約管理手段９７の機能により、選曲予約を行うか否かを判断し（Ｓ２８−１、Ｓ２８−２）、選曲予約を行う場合には、当該選曲予約情報に基づくカラオケ楽曲の演奏を開始させる（Ｓ２９−１、Ｓ２９−２）。
【０１０９】
上述した実施形態では、説明を容易なものとするため、同期演奏の募集者及び応募者をそれぞれ一人ずつとしているが、同期演奏の募集者及び応募者は複数存在してもよく、この場合にも、上述した各手段の機能により、任意の応募者の同期演奏希望に対して、複数の応募者が応募することができる。
【０１１０】
＜選曲予約実行判断＞
上述した選曲予約を行うか否かの判断（Ｓ２８−１、Ｓ２８−２）は、図７に示すように、同期演奏モードに移行した他のカラオケ演奏端末８０のキーコードを取得し、キーコード情報管理手段１０６の機能によりキーコード情報管理テーブル９４ｃを作成して管理する（Ｓ４１）。そして、楽曲ＩＤ及びキーコードを含む選曲予約情報を受信すると（Ｓ４２）、選曲予約情報に含まれるキーコードと、自ら発行したキーコード又はキーコード情報管理テーブル９４ｃにて管理している他のカラオケ演奏端末８０で発行したキーコードとを照合する（Ｓ４３）。
【０１１１】
ここで、選曲予約情報に含まれるキーコードと、自ら発行したキーコード又は記憶している他のカラオケ演奏端末８０で発行したキーコードのいずれか一方が一致すると（Ｓ４４）、受信した楽曲ＩＤに基づく選曲予約を行う（Ｓ４５）。一方、選曲予約情報に含まれるキーコードと、自ら発行したキーコード又はキーコード情報管理テーブル９４ｃにて管理している他のカラオケ演奏端末８０で発行したキーコードのいずれか一方が一致ない場合には（Ｓ４４）、受信した楽曲ＩＤに基づく選曲予約を行わない（Ｓ４６）。
【０１１２】
＜キーコード更新＞
各カラオケ演奏端末８０においてキーコードが更新された場合には、当該更新後のキーコードを用いて選曲予約を行うと共に、同期演奏モードに移行している他のカラオケ演奏端末８０に更新後のキーコードを報知する必要がある。そこで、本実施形態では、各カラオケ演奏端末８０においてキーコードを更新した場合に、更新したキーコードと演奏端末ＩＤとからなる選曲管理情報を、表示装置８４の表示画面に表示させる。そして、当該カラオケ演奏端末８０とペアリングされたパーソナル携帯端末６０において、更新したキーコードを取得して、記憶している選曲管理情報６２ｂを更新する。
【０１１３】
また、同期演奏モードに移行している他のカラオケ演奏端末８０に更新したキーコードを送信することにより、他のカラオケ演奏端末８０では、キーコード情報管理テーブル９４ｃを更新する。これにより、各カラオケ演奏端末８０は、自ら更新したキーコード又は同期演奏モードに移行している他のカラオケ演奏端末８０で更新したキーコードを用いて、選曲予約を行うか否かの判断を行うことができる。
【０１１４】
＜他の実施形態＞
本発明のカラオケ同期演奏システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【０１１５】
１０  カラオケ同期演奏システム
２０  通信ネットワーク（インターネット）
３０  携帯電話網
４０  中継サーバ
４１  サーバ制御手段
４２  送受信手段
４３  同期演奏募集情報登録手段
４４  同期演奏募集情報転送手段
４５  同期演奏情報送信手段
４６  選曲予約情報転送手段
４７  同期演奏応募者存在情報送信手段
４８  同期演奏情報送信許可手段
６０  パーソナル携帯端末
６１  選曲予約情報送信手段
６２  メモリ
６２ａ  楽曲ＩＤ
６２ｂ  選曲管理情報
６２ｃ  同期演奏情報
６３  送受信手段
６４  楽曲検索手段
６５  選曲管理情報取得手段
６６  同期演奏募集情報送信手段
６７  閲覧要求信号送信手段
６８  同期演奏応募情報送信手段
６９  同期演奏情報取得手段
７０  同期演奏許諾情報送信手段
８０  カラオケ演奏端末
８１  カラオケ本体
８２  スピーカ
８３  マイクロホン
８４  表示装置
８５  ミキシングアンプ
８６  カラオケリモコン装置
９１  ネットワーク送受信手段
９２  中央制御手段
９３  ＲＯＭ
９４  ＲＡＭ
９４ａ  予約待ち行列
９４ｂ  キーコード（自）
９４ｃ  キーコード情報管理テーブル
９５  ＨＤＤ
９５ａ  楽曲データベース
９５ｂ  映像データベース
９６  ローカル送受信手段
９７  予約管理手段
９８  音楽再生制御手段
９９  Ａ／Ｄコンバータ
１００  映像再生制御手段
１０１  同期演奏情報表示手段
１０２  同期演奏モード移行手段
１０３  キーコード発行手段
１０４  選曲管理情報表示手段
１０５  キーコード情報送信手段
１０６  キーコード情報管理手段
１０７  更新キーコード情報送信手段
１０８  同期演奏応募者存在情報表示手段
１１０  モバイルＷＷＷサーバ
１１１  選曲用アプリケーションソフト
１１２  楽曲索引データベース
【図１】
2014048537.tif 000003
【図２】
2014048537.tif 000004
【図３】
2014048537.tif 000005
【図４】
2014048537.tif 000006
【図５】
2014048537.tif 000007
【図６】
2014048537.tif 000008
【図７】
2014048537.tif 000009